(57)【要約】      （修正有）【課題】支柱とパネルとで一定の区画を構成するパーテーション部材に付設する付属部材の設置や解体等の作業が容易であるパーテーション部材に設置する付属部材の固定具を提供する。【解決手段】一定の区画を構成するためにパネル１を固定する支柱２の側面に設けた複数個の溝２ａであってパネル２を固定していない溝２ａに係合させるための先端挟持部４ｃと、旗竿（付属部材）３が貫通して係止される空間凹部４ｆと、を有するクリップ型のパーテーション部材に設置する付属部材の固定具である。【選択図】図３
0003220314.tif 000002
【実用新案登録請求の範囲】
【請求項１】
一定の区画を構成するためにパネルを固定する支柱の側面に設けた複数個の溝であって前記パネルを固定していない前記溝に係合させるための先端挟持部と、付属部材が貫通して係止される空間凹部と、を有するクリップ型であることを特徴とするパーテーション部材に設置する付属部材の固定具。
【請求項２】
一対の可動腕部の略中央に位置する支点部と、この支点部より前方側に位置して一定の区画を構成するためにパネルを固定する支柱の側面に設けた複数個の溝であって前記パネルを固定していない前記溝に係合させるための先端挟持部と、前記支点部より後方側に位置して指で押圧する把持部と、この把持部への加圧によって前記先端挟持部を開閉自在とするように前記先端挟持部が閉じる方向に常時弾性を付勢する弾性部とを有することを特徴とするパーテーション部材に設置する付属部材の固定具。
【考案の詳細な説明】
【技術分野】
【０００１】  本考案は、支柱とパネルとで一定の区画を構成するパーテーション部材と一緒に使用され当該パーテーション部材に設置する付属部材の固定具に関するものである。
【背景技術】
【０００２】  各種の学会や教育施設における展示会、商品の見本市や物産展等の展示会では、会場内の床面から垂直方向へ立設する支柱を用いて平板状のパネルを垂直方向に立設すると共に前記パネルを複数枚横方向へ屏風状に連結することにより周囲を区画するブース（小間）を複数個設置して前記ブース単位で出展者を区分するパーテーション部材が知られている（下記先行技術文献参照）。【０００３】  斯かるパーテーション部材では、前記支柱の水平方向の中心から所定の角度間隔を有して側面に形成した前記支柱の垂直方向へ延びる複数個の溝が形成してあり、この溝に前記パネルの端面部を嵌め込んで固定することにより、所定の区画された領域である前記ブースを構成するものである。
【先行技術文献】
【特許文献】
【０００４】
【特許文献１】特開平１０−７２８９４号公報
【特許文献２】特開２０００−３５５９９７号公報
【考案の概要】
【考案が解決しようとする課題】
【０００５】  ところで、ブースの個性化や広告宣伝等を図る目的で前記パーテーション部材に棒状部を有する付属部材、例えば、上方側に文字や絵柄等を施した旗や幟等の表示具を装着した旗竿を付属部材として設置する場合がある。【０００６】  このような場合、旗竿の下端をコンクリート製の土台等の設置部材に立設するか、前記旗竿を紐やテープ等の固定部材により前記支柱に抱き合わせて固定する等の支持構造が付属部材を設置する手段として一般的に採用されている。【０００７】  斯かる場合には、前記ブースを構成する必需品ではないが重量や体積が嵩張る前記設置部材を必要したり、または、前記固定部材を用いての設置作業や前記固定部材を剥離しての撤去作業に手間取ったりするもので、テープを剥がした際にノリが設置個所に残る等の問題があった。【０００８】  本考案は、このような従来の問題を解決するものであり、支柱とパネルとで一定の区画を構成するパーテーション部材に付設する付属部材の設置や解体等の作業が容易であるパーテーション部材の付属部材の固定具の提供を目的とするものである。
【課題を解決するための手段】
【０００９】  本考案は、一定の区画を構成するためにパネルを固定する支柱の側面に設けた複数個の溝であって前記パネルを固定していない前記溝に係合させるための先端挟持部と、付属部材が貫通して係止される空間凹部と、を有するクリップ型のパーテーション部材に設置する付属部材の固定具である。【００１０】  特に、一対の可動腕部の略中央に位置する支点部と、この支点部より前方側に位置して一定の区画を構成するためにパネルを固定する支柱の側面に設けた複数個の溝であって前記パネルを固定していない前記溝に係合させるための先端挟持部と、前記支点部より後方側に位置して指で押圧する把持部と、この把持部への加圧によって前記先端挟持部を開閉自在とするように前記先端挟持部が閉じる方向に常時弾性を付勢する弾性部とを有しているパーテーション部材に設置する付属部材の固定具である。
【考案の効果】
【００１１】  本考案に係るパーテーション部材の付属部材の固定具によれば、一定の区画を構成するためにパネルを固定する支柱の側面に設けた複数個の溝であって前記パネルを固定していない前記溝に係合させるための先端挟持部と、前記付属部材の棒状部が貫通して係止される空間凹部と、を有する所謂洗濯バサミ状のクリップ型であることから、この付属部材の前記空間凹部に前記付属部材を貫通させた状態で前記先端挟持部を前記溝に係合させる作業だけで、前記付属部材を前記支柱に設置することができ、前記付属部材の撤収は前記作業と反対の手順を実行するだけで済むため、前記付属部材の設置や撤収等の作業が容易となる。
【図面の簡単な説明】
【００１２】
【図１】  ブースの構成を説明する斜視図である。
【図２】  同上の要部断面図である。
【図３】  本考案の一実施例の使用状態を説明する要部断面図である。
【図４】  同上の形状を説明する写真で、斜視（Ａ）と側面（Ｂ）である。
【考案を実施するための形態】
【００１３】  本実施例のパーテーション部材の付属部材の固定具は、一定の区画を構成するためにパネルを固定する支柱の側面に設けた複数個の溝であって前記パネルを固定していない前記溝に係合させるための先端挟持部と、前記付属部材が貫通して係止される空間凹部と、を有するクリップ型である。
【００１４】  特に、前記固定具は、一対の可動腕部の略中央に位置する支点部と、この支点部より前方側に位置して一定の区画を構成するためにパネルを固定する支柱の側面に設けた複数個の溝であって前記パネルを固定していない前記溝に係合させるための先端挟持部と、前記支点部より後方側に位置して指で押圧する把持部と、この把持部への加圧によって前記先端挟持部を開閉自在とするように前記先端挟持部が閉じる方向に常時弾性を付勢する弾性部とを有している。
【実施例】
【００１５】  以下、添付図面に従って一実施例を説明すると、図１、図２は、ブースＡの仕様を示すもので、両面白色仕上げのビニールコーティング合板（縦２７０センチ×横１００センチ）からなるパネル１を正面に３枚、その両側に９０度の角度を付けて前方へ配置した左右壁に各２枚を屏風状に連結して、一つのブースＡを構成しているもので、このブースＡは、間口が約３メートル、奥行きが約２メートル、高さが約２．７メートルとなる。【００１６】  これらのパネル１は、会場内の床面から垂直方向へ立設する水平断面が略八角形である複数個の支柱２を用いて横方向へ屏風状に連結することにより、周囲を区画するブースＡを構成する目的で使用され、この目的を実現するために各支柱２の水平方向の中心から所定の角度間隔、例えば４５度の角度間隔を有して側面（前記八角形の平面個所）に形成した支柱２の垂直方向へ延びる８個の溝２ａが形成してあり、この溝２ａにパネル１の端面部を嵌め込みビス等を用いて固定してブースＡを構成することができ、以上がパーテーション部材を構成している。【００１７】  このブースＡには、他のブースとの差別化や広告宣伝等を図る目的で前記パーテーション部材に付属部材、例えば、上方側に文字や絵柄等を施した旗や幟等の表示具を装着した旗竿３を付属部材として設置する場合がある。【００１８】  この付属部材たる旗竿３を設置するために用いられる固定具４は、図３、図４で示すように、一対の可動腕部４ａの略中央に位置する支点部４ｂと、この支点部４ｂより前方側に位置して支柱２及び付属部材３の間で後述する使用方法により所望の作用効果を発揮する対向する２つの先端挟持部４ｃと、支点部４ｂより後方側に位置して指で押圧する把持部４ｄと、この把持部４ｄへの加圧によって先端挟持部４ｃを開閉自在とするように先端挟持部４ｃが閉じる方向に常時弾性を付勢する弾性部４ｅとを有し、例えば金属製の十分な強度を有する材料からなる所謂洗濯バサミ状のクリップ型である。【００１９】  この実施例では、１本の金属線を曲げて固定具４を形成しており、弾性部４ｅが支点部４ｂを兼ねている。【００２０】  そして、前記金属線は、固定具４の２つの先端挟持部４ｃの夫々が支柱２の複数の溝２ａの一つに入り込むことができるように先端挟持部４ｃの先端部が溝２ａの開口寸法よりも小さい外径である材料を選択している。【００２１】  また、可動腕部４ａの支点部４ｂから先端挟持部４ｃの間に装飾部材３の棒状部が貫通して係止される空間凹部４ｆを有している点に特徴があり、以下この固定具４の使用方法を説明する。【００２２】  ブースＡに旗竿３を設置する作業においては、固定具４の空間凹部４ｆに旗竿３を貫通させた状態、すなわち、旗竿３を支柱２と平行に沿わせる状態にして、把持部４ｄを握ることで先端挟持部４ｃを開き、パネル１を固定するために用意されている支柱２の複数の溝２ａであってパネル１を取り付けていない空いている溝２ａに先端挟持部４ｃを係合させることにより、旗竿３の設置が完了し、反対に、旗竿３の撤収は前記作業と反対の手順を実行するだけで済むため、旗竿３の設置や撤収等の作業が容易となる作用効果が発揮される。【００２３】  しかも、旗竿３の支柱２への設置���、旗竿３の大きさや重量などを考慮して１個または複数個の固定具４で行うことになるが、何れの場合であっても、所謂洗濯バサミ状のクリップ型である固定具４は、軽量かつ小型であるため、保管や運搬などの取り扱いも容易であり、大量に備蓄しておいたとしても邪魔にならず、使用勝手に優れている。【００２４】  なお、本考案は、考案の要旨の範囲で種々の変更が考えられ、上記実施例に限らないことは言うまでもなく、例えば、固定具４の形状や大きさなどの外観、製造に使用する材料等は、適宜設定可能であり、使用目的や環境に応じて任意に選択可能である。【００２５】  また、固定具４を用いる付属部材としては、必ずしも旗竿３に限らず棒状部を有するものであれば使用することができる。
【符号の説明】
【００２６】    Ａ  ブース
１  パネル
２  支柱
３  旗竿（付属部材）
４  固定具
【図１】
0003220314.tif 000003
【図２】
0003220314.tif 000004
【図３】
0003220314.tif 000005
【図４】
0003220314.tif 000006